(57)【要約】【課題】穿刺部材の穿刺軌道が向上したランセット穿刺機構、特に、穿刺時の穿刺針の軌道ができる限り直線的となった穿刺機構を提供すること。【解決手段】発射により穿刺方向に移動することができる穿刺部材、穿刺部材に設けられる弾性部、および、穿刺に際して穿刺部材が移動する空隙を規定する周囲部材を有して成り、穿刺部材が発射されて穿刺方向へと移動する際、穿刺部材の移動に伴って弾性部が周囲部材を擦動することを特徴とする、ランセット穿刺機構。【選択図】図１
2011000322.tif 000002
【特許請求の範囲】
【請求項１】
発射により穿刺方向に移動することができる穿刺部材、
穿刺部材に設けられる弾性部、および
穿刺に際して穿刺部材が移動する空隙を規定する周囲部材
を有して成り、
穿刺部材が発射されて穿刺方向へと移動する際、穿刺部材の移動に伴って弾性部が周囲部材を擦動することを特徴とする、ランセット穿刺機構。
【請求項２】
前記擦動に際して弾性部が撓むことを特徴とする、請求項１に記載のランセット穿刺機構。
【請求項３】
弾性部が中空構造を有していることを特徴とする、請求項１または２に記載のランセット穿刺機構。
【請求項４】
周囲部材が、穿刺部材の発射に用いるインジェクターのハウジング、または、穿刺部材を収納するホルダーであることを特徴とする、請求項１〜３のいずれかに記載のランセット穿刺機構。
【請求項５】
インジェクターのハウジング内壁に突起部が設けられており、
弾性部が前記突起部を擦動することを特徴とする、請求項４に記載のランセット穿刺機構。
【請求項６】
穿刺部材を収納するホルダーの内壁面にテーパー部が設けられており、
弾性部が前記テーパー部を擦動することを特徴とする、請求項４に記載のランセット穿刺機構。
【請求項７】
穿刺部材が、ランセットと、使用に際して該ランセットを保持して発射させることができるプランジャーとを有して成り、
弾性部がプランジャーに設けられていることを特徴とする、請求項１〜５のいずれかに記載のランセット穿刺機構。
【請求項８】
穿刺部材がランセットであり、穿刺針を固定化して成るランセットボディに対して弾性部が設けられていることを特徴とする、請求項１〜４または６のいずれかに記載のランセット穿刺機構。
【発明の詳細な説明】
【技術分野】
【０００１】
本発明はランセット穿刺機構に関する。より詳細には、本発明は「血液採取に供されるランセット」における穿刺機構に関する。
【背景技術】
【０００２】
糖尿病患者の血糖値の測定には、その患者の血液を採取する必要がある。採取される血液は微少量でよい。従って、微少量の血液を採取する穿刺デバイスが使用されることになる。かかる穿刺デバイスは、身体の所定箇所を穿刺するための穿刺針が設けられたランセット（例えば特許文献１）およびインジェクターから一般に構成されている。インジェクターは、ランセットを所定箇所に向かって発射させる機能を有している。使用に際しては、ランセットをインジェクターに装填した後、インジェクター内のプランジャーを用いてランセットを発射させ、所定箇所を穿刺している。
【０００３】
糖尿病患者の血液採取に用いる穿刺デバイスには、衛生面や安全性の点で望ましいものが求められると共に、使用時の穿刺特性の点でも望ましいものが求められている。特に、穿刺針が大きくぶれることなく穿刺できると、確実に所定箇所を穿刺することができる。従って、穿刺針の穿刺軌道が向上した穿刺デバイスが望まれている。
【先行技術文献】
【特許文献】
【０００４】
【特許文献１】米国特許明細書第５３８５５７１号公報
【発明の概要】
【発明が解決しようとする課題】
【０００５】
本出願人は、これまでに以下で説明する穿刺デバイスについて発明を為しており、その発明に関する出願を行っている（国際特許公開第２００７／０１８２１５号公報、出願日：２００６年８月８日、発明の名称：「穿刺デバイスならびにそれを構成するランセットアッセンブリおよびインジェクターアッセンブリ」）。図面を参照しながら、この発明に係るランセットアッセンブリおよびインジェクターアッセンブリを簡潔に説明する（以後では、「インジェクターアッセンブリ」を「インジェクター」とも称して説明する）。図３４にランセットアッセンブリ１００’の外観を示すと共に、図３５にインジェクター２００’の外観を示す。図３４に示すように、ランセットアッセンブリ１００’は、ランセット１０１’および保護カバー１０２’から構成されている。図３６および図３７に示すように、ランセット１０１’は、ランセットボディ１０４’、ランセットキャップ１０６’および穿刺針１０５’を有して成る。金属製の穿刺針１０５’は、樹脂製のランセットボディ１０４’およびランセットキャップ１０６’にまたがって存在している。穿刺針１０５’の先端部は、ランセットキャップ１０６’によってカバーされていると共に、ランセットキャップ１０６’とランセットボディ１０４’とが弱化部材１０８’を介して一体に結合している。図３４および図３７に示すように、保護カバー１０２’は、ランセットボディ１０４’の一部を包囲するように設けられている。このようなランセットアッセンブリ１００’は、インジェクター２００’に装填された後でランセットキャップ１０６’が取り外される。これにより、穿刺針１０５’の先端部が露出するので、ランセットを穿刺に供すことができる。
【０００６】
図３５に示すインジェクター２００’は、ランセットアッセンブリ１００’と組み合わせて用いて、穿刺針１０５’の先端が露出した状態のランセットボディを発射することができるデバイスである。インジェクター２００’は、「ランセットボディの後端部と係合でき、ランセットボディを穿刺方向に発射させるプランジャー２０４’」を有して成る（図３８参照）。インジェクター２００’に装填するに際しては、図３８に示すように、ランセットアッセンブリ１００’をインジェクター２００’の前端開口部２１４’から挿入する。ある程度挿入すると、図３９に示すように、ランセットアッセンブリ１００’の後方部分１１６’が、プランジャー２０４’の先端部２６４’, ２６６’によって把持される。引き続いて挿入を継続すると、プランジャー２０４’が後退して発射エネルギーが蓄積される。つまり、プランジャー２０４’の後退により、プランジャー２０４’に設けられたバネ（図示せず）が圧縮する（従って、その圧縮状態を解放すると、プランジャーが前方へと瞬時に移動し、ランセットが発射されることになる）。プランジャーが後退して発射エネルギーが蓄積された状態のインジェクター２００’を図４０に示す。
【０００７】
ランセットアッセンブリ１００’のインジェクター２００’への装填が完了すると、ランセットキャップ１０６’を取り外して穿刺針１０５’の先端を露出させる。ランセットキャップ１０６’の取外しについて説明すると次のようになる。図３６および図３７に示すように、ランセットボディ１０４’とランセットキャップ１０６’とは、その間に位置する弱化部分１０８’によって一体に結合されている。かかる弱化部材１０８’は、ランセットボディ１０４’とランセットキャップ１０６’とを穿刺針の周囲で相対的に反対方向に回すことによって破壊させることができ（図４０にはＧ方向に回す態様が示されている）、それによって、ランセットキャップ１０６’を取り外すことができる。
【０００８】
穿刺に際しては、例えば指先などの穿刺すべき所定の部位に対してインジェクター２００’の前端開口部２１４’をあてがった後、トリガー部材５１４’のプレス部分５４２’を押す（図４１参照）。かかるプレス部分５４２’の押し込みによって、プランジャー２０４’が前方へと発射され（つまり、圧縮されていたバネが解放され）、穿刺針によって穿刺が行われることになる。
【０００９】
ここで、穿刺針の発射に際しては、上述したように穿刺針が所定の軌道を有することが望まれる。特に、穿刺針の直進性が著しく損なわれると、穿刺時に被採血者が感じる痛みが増すことになるので、穿刺針の穿刺軌道はできるだけ直線的であることが望まれる。しかしながら、実際には、発射された穿刺針（特に針先）は波打つ傾向があり、直線的な穿刺軌道を確保することが難しい現状がある。
【００１０】
本発明は、上記事情に鑑みて為されたものである。つまり、本発明の課題は、穿刺針の穿刺軌道が向上したランセット穿刺機構を提供することである。
【課題を解決するための手段】
【００１１】
上記課題を解決するため、本発明では、
発射により穿刺方向に移動することができる穿刺部材、
穿刺部材に設けられる弾性部、および
穿刺に際して穿刺部材が移動する空隙を規定する周囲部材
を有して成り、
穿刺部材が発射されて穿刺方向へと移動する際、穿刺部材の移動に伴って弾性部が周囲部材を擦動することを特徴とする、ランセット穿刺機構が提供される。
【００１２】
本発明に係るランセット穿刺機構は、穿刺に際して穿刺部材の弾性部が周囲部材に当接して擦動することを特徴の１つとしている。これにより、穿刺針の穿刺軌道ができる限り直線的な軌道となる。特に、擦動に際して弾性部が撓むことによって、直線的な軌道へと矯正する作用が効果的に働き、穿刺針の軌道が向上する。本発明では、弾性部の撓みが助力されるように、好ましくは弾性部が中空構造を有している。
【００１３】
本明細書において「弾性部」という用語は、外力を作用させると変形するが、その外力を除くと“元の状態”または“元の状態に近い状態”に戻るような特性を有する部分または部材を意味している。
【００１４】
本発明で用いられる穿刺部材は、ランセット以外に別個の要素（特に、穿刺部材の発射に用いるインジェクター要素）を有して成るものであってもよいし、あるいは、実質的にランセットのみから成るものであってもよい。換言すれば、本発明の穿刺機構としては以下の態様（Ａ）および（Ｂ）が考えられる：
（Ａ）インジェクター使用態様：穿刺部材が「ランセット」と「ランセットとは別個のインジェクター（特にインジェクターに設けられるプランジャー）」とから構成されている態様。
（Ｂ）ランセットアッセンブリ態様：穿刺部材が別個のインジェクター（≒プランジャー）を備えておらず、ランセットないしはランセットアッセンブリ自体にプランジャー機能が予め内蔵された態様。
【００１５】
インジェクター使用態様（Ａ）では、穿刺部材は、ランセットと、使用に際して該ランセットを保持して発射させることができるプランジャーとを有して成る。かかる（Ａ）の場合、プランジャーに対して弾性部が設けられることが好ましい。一方、ランセットアッセンブリ態様（Ｂ）では、穿刺部材がランセットの形態を成している。かかる（Ｂ）の場合、ランセットのランセットボディに対して弾性部が設けられることが好ましい。（Ａ）または（Ｂ）のいずれの態様であっても、穿刺部材の移動に伴って弾性部が周囲部材を擦動し、それによって穿刺部材の穿刺軌道が矯正される。
【００１６】
「穿刺に際して穿刺部材が移動する空隙を規定する周囲部材」は、穿刺部材の発射に際して弾性部が接することができる当接部分または当接部を有して成る部材である。インジェクター使用態様（Ａ）では、周囲部材は「穿刺部材の発射に用いるインジェクターのハウジング」であることが好ましい。更に好ましくは、周囲部材はインジェクター・ハウジング内壁に設けられた突起部である。つまり、穿刺に際しては、穿刺部材の移動に伴ってインジェクター・ハウジング（特にそれに設けられた突起部）に擦るように弾性部が移動することになる。一方、ランセットアッセンブリ態様（Ｂ）では周囲部材は「穿刺部材を収納するホルダー」であることが好ましい。更に好ましくは、周囲部材は、かかる収納ホルダーの内壁面に設けられたテーパー部である。つまり、穿刺に際しては、穿刺部材の移動に伴って収納ホルダー（特にその内壁面に設けられたテーパー部）に擦るように弾性部が移動することになる。
【発明の効果】
【００１７】
本発明のランセット穿刺機構によれば、穿刺時の穿刺針の軌道ができる限り直線的となるように矯正される。その結果、被穿刺者（即ち被採血者）が穿刺時に感じる痛みを低減できる効果が奏される。特定の理論に拘束されるわけではないが、これは、穿刺針によって被採血者の穿刺箇所が“えぐられる”といった現象が減じられることに起因するものと考えられる。
【００１８】
本発明のランセット穿刺機構を備えた穿刺デバイスでは、穿刺針の“ぶれ”ができるだけ抑制され、安定した穿刺軌道を達成することができる。従って、使用者が異なる場合であっても穿刺針の穿刺軌道が実質的に一定となり、使用者ごとのばらつきも低減される。
【図面の簡単な説明】
【００１９】
【図１】図１は、本発明の穿刺機構の概念を示した模式図である。
【図２】図２は、インジェクター使用態様（Ａ）の穿刺機構を模式的に示した斜視図である。
【図３】図３は、インジェクター使用態様（Ａ）におけるランセットの外観を示した斜視図である。
【図４】図４は、ランセットキャップを外した状態の図３のランセットの斜視図である。
【図５】図５は、ランセットの内部が分かるように、図３のランセットを半分割した斜視図である。
【図６】図６は、インジェクター使用態様（Ａ）におけるランセットの外観を示した斜視図である。
【図７】図７は、ランセットキャップを外した状態の図６のランセットの斜視図である。
【図８】図８（ａ）は、インジェクター使用態様（Ａ）におけるプランジャーの斜視図である。図８（ｂ）は、インジェクターに設けられたプランジャーの態様を示した斜視図である。
【図９】図９は、ランセットアッセンブリ態様（Ｂ）におけるランセットアッセンブリを模式的に示した斜視図である。
【図１０】図１０は、ランセットアッセンブリ態様（Ｂ）におけるランセットを模式的に示した斜視図である。
【図１１】図１１は、インジェクター使用態様（Ａ）の穿刺機構であって、穿刺前の状態を模式的に示している。
【図１２】図１２は、インジェクター使用態様（Ａ）の穿刺機構であって、トリガー板バネ部が押圧された時点を模式的に示している。
【図１３】図１３は、インジェクター使用態様（Ａ）の穿刺機構であって、トリガー板バネ部と突起部との係止が解除された頃の状態を模式的に示している。
【図１４】図１４は、インジェクター使用態様（Ａ）の穿刺機構であって、プランジャーおよび穿刺針が前方へと移動している状態を模式的に示している。
【図１５】図１５は、インジェクター使用態様（Ａ）の穿刺機構であって、弾性部が突起部に擦るように移動し始めた頃の状態を模式的に示している。
【図１６】図１６は、インジェクター使用態様（Ａ）の穿刺機構であって、弾性部が突起部を擦動している状態を模式的に示している。
【図１７】図１７（ａ）〜（ｄ）は、ランセットアッセンブリ態様（Ｂ）における穿刺機構の経時変化を模式的に示している。図１７の下部には、弾性部がテーパー部を擦動する態様を模式的に示していると共に、“テーパー部によるホルダー内径の低減”を模式的に示している。
【図１８】図１８は、インジェクター使用態様（Ａ）における穿刺デバイスの外観を模式的に示した斜視図である。
【図１９】図１９は、インジェクター使用態様（Ａ）における使用前のインジェクターの斜視図であって、その内部構造を模式的に示している。
【図２０】図２０は、インジェクター使用態様（Ａ）におけるインジェクターの斜視図であって、そのキャップ２０２を外した状態を模式的に示している。
【図２１】図２１は、インジェクター使用態様（Ａ）におけるインジェクターの斜視図であって、ランセットの装填を開始する頃の状態を模式的に示している。
【図２２】図２２は、インジェクター使用態様（Ａ）におけるインジェクターの斜視図であって、ランセット保持部にランセットが取り付けられた状態を模式的に示している。
【図２３】図２３は、インジェクター使用態様（Ａ）におけるインジェクターの斜視図であって、プランジャーが後退して発射エネルギーが蓄積された時点の状態を模式的に示している。
【図２４】図２４は、インジェクター使用態様（Ａ）におけるインジェクターの斜視図であって、ランセットキャップを取り外して穿刺針を露出させた時点の状態を模式的に示している。尚、付加的には、インジェクターの保持部材２０３の斜視図を示している。
【図２５】図２５は、インジェクター使用態様（Ａ）におけるインジェクターの斜視図であって、穿刺深さ制限部材をインジェクターの先端部に取り付けた状態を模式的に示している。
【図２６】図２６は、インジェクター使用態様（Ａ）におけるインジェクターの斜視図であって、穿刺針が露出した時点の状態を模式的に示している。
【図２７】図２７は、インジェクター使用態様（Ａ）におけるインジェクターの斜視図であって、穿刺後の状態を模式的に示している。
【図２８】図２８は、インジェクター使用態様（Ａ）における穿刺前の状態を模式的に示している。
【図２９】図２９は、インジェクター使用態様（Ａ）において、穿刺に際してトリガー板バネ部が内側へと押圧される態様を模式的に示している。
【図３０】図３０は、インジェクター使用態様（Ａ）において、穿刺針が前方へと発射された頃の態様を模式的に示している。
【図３１】図３１は、インジェクター使用態様（Ａ）において、弾性部が突起部に擦るように移動し始めた頃の態様を模式的に示している。
【図３２】図３２は、インジェクター使用態様（Ａ）において、突起部に擦るように弾性部が移動している態様を模式的に示している。
【図３３】図３３は、インジェクター使用態様（Ａ）において、穿刺後の態様を模式的に示している。
【図３４】図３４は、ランセットアッセンブリの外観を表した斜視図である。
【図３５】図３５は、インジェクターの外観を表した斜視図である。
【図３６】図３６は、ランセットの外観を表した斜視図である。
【図３７】図３７は、ランセットの内部が分かるように、図３６のランセットを半分割した場合の斜視図である。
【図３８】図３８は、ランセットアッセンブリがインジェクターに装填される前の態様を示した斜視図である。
【図３９】図３９は、ランセットアッセンブリの装填によりランセットがプランジャー先端部に把持された態様を示した斜視図である。
【図４０】図４０は、ランセットアッセンブリの装填が完了し、プランジャーが後退できない状態となった態様を示した斜視図である。
【図４１】図４１は、ランセットキャップが外されて穿刺可能状態となった態様を示した斜視図である。
【発明を実施するための形態】
【００２０】
添付図面を参照して本発明のランセット穿刺機構について詳細に説明する。
【００２１】
本明細書で用いる“方向”については次の通り規定する。穿刺に際して穿刺部材が発射される方向が「前」方向であり、その反対の方向が「後」方向である。これらの方向ならびに本明細書で用いる「横断方向」などは図面に示している。尚、「穿刺方向」は、採血されるべき穿刺部位に向かって穿刺針が移動する方向を実質的に意味しており、“前方向”に相当する。
【００２２】
《ランセット穿刺機構の構成・態様》
図１（ａ）または（ｂ）は、本発明に係るランセット穿刺機構３００を示している。図示するように、本発明に係るランセット穿刺機構３００は、「穿刺部材１００」、「穿刺部材に設けられる弾性部１５０」および「穿刺部材の周囲に存在する周囲部材２５０」を主に有して成る。
【００２３】
『本発明の穿刺機構に用いられる穿刺部材１００』は、採血時に穿刺作用に供する部材であって、穿刺方向へと発射して使用される。
【００２４】
穿刺部材１００は、少なくとも穿刺針を有して成り、発射により穿刺方向へと移動できるものであればいずれの形態を有していてもよい。例えばインジェクター使用態様（Ａ）では、穿刺部材１００は、図２に示すように“ランセット１０１”と“使用に際して該ランセットを保持して発射させることができるプランジャー１２０”とを有して成る。インジェクター使用態様（Ａ）では、ランセット１０１は図３〜５に示すような形態を有していてもよいし、あるいは、図６および７に示すような形態を有していてもよい。更には、図３４に示すようなランセットアッセンブリ１００’の形態を有していてもよい。図３〜５または図６・７に示すランセット１０１を例にとって説明すると、ランセット１０１は、ランセットボディ１０４、ランセットキャップ１０６および穿刺針１０５を有して成る。金属製の穿刺針１０５は、樹脂製のランセットボディ１０４およびランセットキャップ１０６にまたがってこれらの中に存在している。一方、ランセットと共に用いられるプランジャー１２０は、穿刺方向に発射できる部材であって（図８（ａ）参照）、インジェクター２００の内部に一般に設けられているものである（図８（ｂ）参照）。使用に際しては、プランジャー１２０の先端部にランセットを取り付けるが、その操作に際して、プランジャー１２０が後退して発射エネルギーが蓄積される。つまり、ランセットの取付けに際してランセットに押される形でプランジャー１２０が後退し、プランジャーに設けられたスプリング（図８（ｂ）の参照番号２０５ａ）が圧縮される。従って、その圧縮状態を解放すると、プランジャーが前方へと瞬時に移動することになるので、穿刺針を備えたランセットが穿刺方向へと発射される。
【００２５】
別の形態として、穿刺部材は、ランセット・ランセットアッセンブリ自体にプランジャー機能が内蔵されたものであってもよい。即ち、穿刺機構の態様は、上述のランセットアッセンブリ態様（Ｂ）であってよく、穿刺デバイスとしては例えば図９ないしは図１７に示すようなランセットアセンブリ１１０の形態を有している。かかる場合、穿刺部材１００はランセットの形態を成している（図１０参照）。ランセットアッセンブリ態様（Ｂ）では、ランセットホルダー１０２内にてランセットボディ１０４が発射エネルギーを予め蓄積した状態で係止されているため、その係止を解除すると、ランセットボディを穿刺方向へと発射できる。つまり、ランセットキャップをランセットから取り外した後でランセットボディの係止状態を解除すると、露出した穿刺針を備えたランセットボディを穿刺方向へと発射させることができる（図１７（ａ）〜（ｄ）参照）。
【００２６】
『本発明の穿刺機構に用いられる弾性部１５０』は、図１（ａ）および（ｂ）に示すように、穿刺部材１００に設けられている。好ましくは、穿刺部材の側方部分に対して弾性部が設けられる。つまり、弾性部は、図示するように穿刺部材１００の横断方向へと出っ張るように設けられることが好ましい。
【００２７】
インジェクター使用態様（Ａ）では、弾性部１５０は好ましくはプランジャー１２０に設けられている（図２参照）。一方、ランセットアッセンブリ態様（Ｂ）では、弾性部１５０は好ましくはランセットボディ１０４に設けられている（図１０参照）。
【００２８】
本発明で用いられる弾性部は、外力を作用させると変形するが、その外力を除くと“元の状態”または“元の状態に近い状態”に戻るような特性を有している限りいずれの形態を有していてもよい。例えば、弾性部１５０は、図１（ａ）または（ｂ）に示すように、その内部が空洞１５０ａとなっている。つまり、弾性部が中空構造を有しているものであってよい。弾性部は、樹脂製であることが好ましく、一般的なランセットに用いられる樹脂材料であれば、いずれの種類の樹脂材料から形成されていてもよい（例えばポリエチレンやポリプロピレン等の樹脂材料から弾性部が形成されていてよい）。中空構造を有する弾性部は、図１に示すようなａ方向から外力が加えられると、その方向に寸法を縮小するように撓むことができ、外力を取り除くと元の形状に戻ることができる。尚、中空構造を有する弾性部の空洞部１５０ａは、図１（ａ）に示すような穿刺方向に細長く延びたスリット形状を有していてもよいし、あるいは、図１（ｂ）のような扁平形状（別の表現を用いれば矩形状もしくは略平行四辺形状）を有していてもよい。
【００２９】
穿刺部材の穿刺方向への移動に際して弾性部は周囲部材を擦動する。好ましくは周囲部材を擦動する際に弾性部は横断方向内側（即ち図１の“ａ方向”）へと撓むことができる。このような弾性部の作用により、穿刺部材の軌道がより直線的となる。これは、発射時または穿刺時の穿刺部材（特に針先）の波打つ運動を弾性部が吸収することに起因しているものと考えられ、弾性部が穿刺に伴う衝撃を和らげているといえる。従って、「弾性部」は、その有する作用・機能に鑑みると、“緩衝部材”、“クッション部材”あるいは“応力吸収部材”と称すこともできるものである。
【００３０】
『本発明の穿刺機構に用いられる周囲部材２５０』は、穿刺に際して穿刺部材が移動する空隙を規定しており、穿刺部材の周囲に存在する部材である。特に本発明について言えば、周囲部材２５０は、穿刺部材の発射に伴って穿刺方向に移動する弾性部が接することができる部材または部分でもある。従って、穿刺方向に移動する弾性部に対して外側から接触できるような位置に周囲部材２５０が設けられていることが好ましい。換言すれば、穿刺方向に移動する弾性部に対して外側から内側に向かって外力が加えられることにように（より具体的には、横断方向の外側から内側に向かって弾性部に外力が加えられることになるように）、剛性の周囲部材２５０が設けられている。
【００３１】
インジェクター使用態様（Ａ）では、周囲部材は「穿刺部材の発射に用いるインジェクターのハウジング」であってよい。かかる場合、例えば、図２に示すようにインジェクターのハウジングの内壁には突起部２５０ａが設けられており、かかる突起部２５０ａに対して弾性部１５０が擦動することが好ましい。図示するように、突起部２５０ａは、穿刺部材の外側に設けられている弾性部の出っ張り方向（ｐ方向）に対して直交する向き（ｑ方向）に突出するように設けられることが好ましい。一方、ランセットアッセンブリ態様（Ｂ）では、周囲部材が「穿刺部材（即ちランセット）を収納するホルダー」であることが好ましく、図９に示すようなランセットホルダー１０２の内壁であってよい（“内壁”については図１７（ａ）〜（ｄ）も参照のこと）。図１７の下部に示すようにランセットホルダーの内壁面１０２’にはテーパー部１０２ａが設けられており、かかるテーパー部１０２ａに対して弾性部１５０が擦動することが好ましい。
【００３２】
《直進性向上機能》
次に、本発明の特徴的部分である「直進性向上機能」について詳述する。本発明では、穿刺部材が発射されて穿刺方向へと移動する際、穿刺部材の移動に伴って弾性部が周囲部材を擦動する。つまり、穿刺部材が穿刺方向へと移動すると、その穿刺部材に設けられている弾性部も同様に穿刺方向に移動することになるが、その際に、弾性部が周囲部材に接触した状態となる。特に、周囲部材に起因して外側から力を受けるように弾性部が周囲部材に接触する。これにより、発射された穿刺部材が受ける衝撃を弾性部が吸収することができ、穿刺方向に移動する穿刺部材がより安定した状態となる。換言すれば、弾性部が周囲部材を擦るように移動するので、穿刺部材が所定の横断方向の力を受けつつも、弾性部のクッション作用によって穿刺部材に発生し得る応力を緩和でき、その結果、より直線的な穿刺針軌道が確保され得る。
【００３３】
図１１〜図１６を参照して「直進性向上機能」について更に詳細に説明する。図１１〜１６では、インジェクター使用態様バージョン（Ａ）の穿刺機構３００が示され、その番号順に経時変化が示されている。
【００３４】
図１１は穿刺前の状態を示している。つまり、図１１に示される穿刺機構３００においては穿刺部材が発射可能状態となっている。かかる状態では、プランジャー１２０に設けられたスプリング２０５ａが圧縮された状態となっており、その状態が維持されるようにトリガー板バネ部２３０の先端部２３０ａが突起部２５０ａに係止している。従って、プランジャー自体はスプリング力に起因して前方へと移動する力が加えられているものの、プランジャーに連結されたトリガー板バネ部が突起部に当接しており、プランジャーの移動が阻止された状態となっている。換言すれば、図１１では発射エネルギーがプランジャー１２０に蓄積された状態となっている。尚、図示するように、穿刺針１０５はプランジャー１２０の先端部に取り付けられている。
【００３５】
図１２は、トリガー板バネ部２３０が内側に向かって押圧された時点の態様を示している。図示する態様では、トリガー板バネ部の先端部２３０ａと突起部２５０ａとの係止状態は未だ解除されていない。
【００３６】
図１３は、トリガー板バネ部の先端部２３０ａと突起部２５０ａとの係止が解除された状態を示している。かかる係止が解除されると、圧縮されていたスプリング２０５ａ（図１１参照）が元の形状に向かって伸びる力が作用するので、プランジャー１２０およびそれに取り付けられている穿刺針１０５が前方へと発射されることになる。尚、インジェクター・ハウジングには、その向かい合う内壁に、プランジャー１２０を穿刺方向に沿って案内するガイド（好ましくはガイドチャンネル）２７０が設けられていると共に、プランジャー１２０には、そのガイド内に嵌り込む被ガイド部１２０ｂが設けられているので、発射されたプランジャー１２０は穿刺方向へと移動できる。
【００３７】
図１４は、プランジャー１２０および穿刺針１０５が前方へと移動している態様を示している。係止解除するために押し込まれたトリガー板バネ部２３０はその押圧状態が解除されたことに起因して元の状態・位置へと戻ろうとする。つまり、押し込められたトリガー板バネ部２３０は係止解除後に外側へと移動しようとする。しかしながら、トリガー板バネ部２３０は既に前方へと移動しているためにトリガー板バネ部の外側には突起部２５０ａが存在することになる。従って、図示するように、トリガー板バネ部２３０の上面２３０ｂは突起部２５０ａに接触した状態となる。換言すれば、プランジャー１２０に連結されたトリガー板バネ部２３０は突起部２５０ａに接触しながら前方へと移動することになる。
【００３８】
図１５は、弾性部１５０が突起部２５０ａに擦るように移動し始めた頃の態様を示している。図示するように、弾性部１５０はトリガー板バネ部２３０に連結する形態またはトリガーレバー部２３０’の一部として設けられた形態を有しているので、トリガー板バネ部２３０と突起部２５０ａとの接触状態に引き続いて、弾性部１５０が突起部２５０ａに接触して前方へと移動する。つまり、プランジャー２３０の前方への移動に伴って弾性部１５０が突起部２５０ａを擦動することになる（図示する態様では、突起部２５０ａの胴部に対して弾性部１５０が擦動する）。
【００３９】
図１６は、弾性部１５０が突起部２５０ａを擦動するに際して、弾性部１５０が撓む状態を示している。このように撓むのは、弾性部１５０に対して外側から内側へと力が掛かっているからである。尚、図示するように（特に図１２などを参照すると分かるように）、弾性部の上面１５０ｂはより前方に位置するトリガー板バネ部の上面２３０ｂよりも僅かに外側に設けられており、即ち、前方へと移動する弾性部の上面１５０ｂが突起部２５０ａに次第に近づくように構成されている。また、そもそもプランジャー自体はインジェクター・ハウジングのガイドチャンネルに嵌り込んで移動するために横断方向に対しては実質的に固定された状態となっている。その結果、穿刺方向に移動する弾性部は外側から内側へと効果的に力を受けることになる。図１６に示すように、弾性部１５０が外部から力を受けて撓むことによって、即ち、弾性部の空洞部分１５０ａが“ひしゃげる”ように弾性部が変形することによって、発射時または穿刺時の穿刺部材が受ける衝撃を弾性部により吸収することができ、結果的に、穿刺部材がより安定した状態で移動できる。
【００４０】
ちなみに、弾性部１５０の過度な変形が防止されるように、空洞部分１５０ａを形造る内面に隆起部１５０ｃが設けられることが好ましい（図１５および図１６参照）。これにより、弾性部の過度な変形を防止できるだけでなく、隆起部１５０ｃのサイズにより弾性部１５０の変形量を制御することができるので、弾性部の衝撃吸収量を好適に調整することが可能となる。一例を挙げるとすると、以下の式で示される弾性部の撓み率Ｆ（％）は、好ましくは０．１〜４０％程度、より好ましくは０．１％〜３０％程度である。
Ｆ＝（Ｈ１−Ｈ２）／Ｈ１×１００
Ｆ（％）：弾性部の撓み率
Ｈ１（ｍｍ）：撓む前の弾性部の横断方向寸法（図１６参照）
Ｈ２（ｍｍ）：撓んだ状態の弾性部の横断方向寸法（図１６参照）
【００４１】
次に、図１７（ａ）〜（ｄ）に示すような別の態様における「直進性向上機能」について詳細に説明する。図１７（ａ）〜（ｄ）は、ランセットアッセンブリ態様バージョン（Ｂ）を示しており、その番号順に経時変化を示している。
【００４２】
図１７（ａ）は穿刺前の状態を示している。図１７（ａ）に示される穿刺機構を用いた穿刺デバイスでは穿刺部材が予め発射可能な状態となっている。具体的には、図示するランセットアッセンブリ１１０では、ランセットホルダー１０２内にてランセット１００が収納されており、ランセット１００のランセットボディ１０４に設けられたスプリング１０３が既に圧縮された状態となっている。スプリング１０３が圧縮されているので、ランセットボディ自体は前方へと移動する力が加えられているものの、ランセットボディ１０４がランセットホルダー壁の一部１０２ｂに係止しており（図１７（ａ）参照）、ランセット１００の移動が全体として阻止された状態となっている。換言すれば、ランセットアッセンブリ態様バージョン（Ｂ）においては、発射エネルギーがランセットボディ１０４に予め既に蓄積された状態で供されている。
【００４３】
穿刺操作に先立っては、ランセットキャップ１０６を取り外して穿刺針１０５を露出させる（図１０参照）。図１７（ｂ）は、穿刺針を露出させた後、ランセットボディ１０４の係止状態を解除した時点の態様を示している。係止状態が解除されると、圧縮されていたスプリング１０３が元の形状に向かって伸びようとするので、ランセットボディ１０４およびそれに固定化されている穿刺針１０５が前方へと発射される。特に、発射されたランセットボディ１０４は、その一部がランセットホルダー内壁に接した状態となっているので、ホルダー内壁に沿って移動することができる。特に図示する態様では、ランセットボディ１０４のＫ点とＬ点とがランセットホルダー内壁に接しており（図１７（ｂ）参照）、それによって、ランセットホルダー内壁にガイドされるようにランセットボディ１０４が穿刺方向へと移動することになる。
【００４４】
図１７（ｃ）は、ランセットボディ１０４および穿刺針１０５が前方へと移動している態様を示している。また、図１７（ｄ）は、穿刺時の状態を示している。図示するように、ランセットボディ１０４に設けられた弾性部１５０はランセットホルダー内壁面１０２’に接触して前方へと移動する。つまり、ランセットボディ１０４の移動に伴って弾性部１５０がホルダーの内壁面１０２’を擦動することになる。擦動に際しては、弾性部１５０はホルダーの内壁面１０２’から力を受けることになるので、“弾性部１５０の撓み現象”が生じ得る。特に、図１７の下部に示すように、ホルダーの内壁面１０２’にはテーパー部１０２ａが設けられていることが好ましく、これにより、弾性部１５０はテーパー部１０２ａの擦動時にて効果的に力を受けることになる。つまり、テーパー部により弾性部がより撓みやすくなり、穿刺に際してランセットボディが受ける衝撃を効果的に弾性部に吸収させることができるので、穿刺針がより安定した軌道となる。
【００４５】
ランセットアッセンブリ態様（Ｂ）における弾性部１５０の機能について更に詳述しておく。発射されて穿刺方向へと移動するランセットボディ１０４は、上述したように、Ｋ点およびＬ点において剛性のランセットホルダーの内壁に接した状態となっている。つまり、発射されたランセットボディ１０４はランセットホルダー内壁に接した状態で移動する。従って、ランセットボディがテーパー部のような狭窄部を通過する場合では、ランセットホルダーの内壁から受ける力が大きくなる。つまり、テーパー部１０２ａによりホルダー内径が小さくなっていると、その狭窄効果に起因して外側から内側に向かってランセットボディに働く力が大きくなる。その結果、テーパー部分ａにおいては弾性部１５０が効果的に撓むことができる。これに関して一例を挙げると、テーパー部１０２ａによってホルダー内径は０．１〜２０％程度減じられていることが好ましい。より好ましくは、テーパー部１０２ａによってホルダー内径が０．１〜１５％程度減じられている。即ち、以下の式で示されるホルダー内径低減率Ｒは、好ましくは０．１〜２０％程度、より好ましくは０．１％〜１５％程度である。
Ｒ＝（Ｄ１−Ｄ２）／Ｄ１×１００
Ｒ（％）：テーパー部に起因したホルダー内径低減率
Ｄ１（ｍｍ）：テーパー部の設置箇所よりも後方側のホルダー内径（図１７参照）
Ｄ２（ｍｍ）：テーパー部によって狭まったホルダー内径（図１７参照）
【００４６】
《穿刺デバイスの使用態様》
以下では、インジェクター使用態様バージョン（Ａ）の穿刺機構を例にとって、穿刺デバイスの使用態様について説明しておく。図１８には、インジェクター使用態様（Ａ）における穿刺デバイス４００の外観を示している。図示するように、かかる穿刺デバイス４００は、ランセット１０１とインジェクター２００とから構成されている。インジェクター２００の内部には、図１９に示すように、プランジャー１２０が設けられている。また、インジェクター・ハウジング２０１の内壁には突起部２５０ａが設けられている。尚、図１９（または図２０）に示すように、プランジャー１２０の先端部にはランセット保持部１２０ａが設けられており、穿刺に際してランセットを保持できるようになっている。付加的に説明しておくと、ランセット保持部１２０ａは、筒状になっており、挿入されたランセットのランセットボディ部を外側から把持できる構造を有している。
【００４７】
穿刺に際しては、まず、図１９および２０に示すようにインジェクター２００のキャップ部材２０２を外す。これにより、プランジャー先端に設けられているランセット保持部１２０ａが露出することになる（尚、“キャップ部材２０２”は、後述する“穿刺深さ制限部材”にも相当する）。次いで、図２１に示すように、インジェクター２００に対してランセット１０１の装填を開始する。具体的には、一方の手の指でつまんだランセット１０１を、他方の手で保持したインジェクター２００へと挿入する（より具体的にはランセット１０１をランセット保持部１２０ａへと取り付ける）。図２２には、ランセット保持部１２０ａに対してランセット１０１が取り付けられた状態を示している。引き続いてランセットの挿入を継続すると、ランセット１０１に押される形でプランジャー１２０が後退して発射エネルギーが蓄積される。つまり、プランジャー１２０の後退により、プランジャー１２０に設けられたスプリング２０５ａが圧縮する（従って、その圧縮状態を解放すると、プランジャーが前方へと瞬時に移動し、ランセットが発射されることになる）。プランジャー１２０が後退して発射エネルギーが蓄積された時点の態様を図２３に示す。尚、通常の人が加えることができる力で、それ以上挿入できない状態となった時点をもって装填完了の状態となるが、その時点においてはトリガー板バネ部の先端部２３０ａが突起部２５０ａに対して係止することになる。
【００４８】
ランセットのインジェクターへの装填が完了すると、ランセットキャップ１０６を取り外して穿刺針１０５を露出させる（図２４参照）。ランセットキャップ１０６の取外しについて詳述すると次のようになる。図３６および図３７に示すように、ランセットボディ１０４’とランセットキャップ１０６’とは、その間に位置する弱化部分１０８’によって一体に結合されている。かかる弱化部材１０８’は、ランセットボディ１０４’とランセットキャップ１０６’とを穿刺針の周囲で相対的に反対方向に回すことによって破壊させることができ（図４０にはＧ方向に回す態様が示されている）、それによって、ランセットキャップ１０６’を取り外すことができる。特に図２４に示す態様では、一方の手でインジェクターの保持部材２０３を外側からつまみ、ランセット保持部１２０ａとランセットボディ１０４とを一体的に固定した状態で、他方の指でランセットキャップ１０６をつまんで取り外す。尚、図２４にて部分的に示すようにインジェクターの保持部材２０３は、スリット状に一部切り欠かれた筒状形態を有している。従って、外側から内側へと力が加えられると半径方向内側へと撓むことができる。その結果、外側からインジェクターの保持部材２０３を把持することによって、その内部に設置されたランセット保持部１２０ａとランセットボディ１０４とを一体的に固定化することができる。
【００４９】
穿刺に際しては、まず、図２５（ａ）および（ｂ）に示すように、穿刺深さ制限部材２０２をインジェクター２００の先端部に取り付ける。そして、穿刺すべき所定の部位（例えば指先）に穿刺深さ制限部材２０２の開口部２０２ａをあてがった後、トリガー部材のプレス部分２４２を押す（図２５（ａ）参照）。プレス部分２４２をインジェクター内部に向かって押し込むことによって、トリガー板バネ部２３０が内側に向かって押圧され、トリガー板バネ部２３０と突起部２５０ａとの係止状態が解除される。その結果、プランジャー１２０が前方へと発射され（つまり、バネ２０５ａの圧縮状態が解除され）、穿刺針１０５による穿刺が行われることになる（図２６（ａ）および（ｂ））。穿刺後は、圧縮されたリターン・スプリング２０５ｂ（図２６（ｂ））が元の形状に戻ろうとしてプランジャー１２０を後方へと動かすので、穿刺針１０５が素速く後退することになる。穿刺後の状態は、図２７（ａ）および（ｂ）に示される。
【００５０】
次に、穿刺部材の発射に伴う経過を図２８〜図３３を参照して説明する。図２８は、プランジャー１２０に設けられたスプリング２０５ａが圧縮された状態となっており、その状態が維持されるようにトリガー板バネ部の先端部２３０ａと突起部２５０ａとが相互に当接している。図２９は、トリガー部材のプレス部分２４２が押されることによって、トリガー板バネ部２３０が内側へと押圧される態様を示している。図示するように、トリガー板バネ部２３０が内側へと押圧されると、突起部２５０ａとトリガー板バネ部の先端部２３０ａとの係止状態が解除されることが理解できるであろう。図３０は、突起部２５０ａとトリガー板バネ部の先端部２３０ａとの係止状態が解除され、プランジャー１２０およびその先端部１２０ａに取り付けられた穿刺針１０５が前方へと発射された頃の態様を示している。図３１は、弾性部１５０が突起部２５０ａに擦るように移動し始めた頃の態様を示している。尚、図示する態様では、弾性部１５０はトリガー板バネ部２３０と連結して一体化したものであり、トリガー板バネ部が外側へと元の位置へ戻ろうとするのに対して、突起部２５０ａの位置は変わらないままである。また、弾性部１５０は前方へと移動するプランジャー１２０と連結されている。その結果、弾性部１５０が突起部２５０ａに擦るように前方へと移動することになる。図３２は、弾性部１５０が突起部２５０ａから力を受けることによって、弾性部１５０が撓む様子が示されている。図示するように、弾性部１５０の中空部の形状が小さくなるように変形している。このように弾性部が撓むことによって、穿刺に際してプランジャー１２０や穿刺針１０５が受ける衝撃を弾性部１５０が吸収することができ、結果的に、穿刺針１０５がより安定した状態で移動できる。特に図３２に示す態様から理解できることであるが、発射された穿刺針１０５は、最終的には、その土台部１０５ａが穿刺深さ制限部材２０２の内壁部２０２ｂへと衝突することになる。つまり、土台部１０５ａと内壁部２０２ｂとの衝突によって穿刺針の動きが制限され、それによって、穿刺深さ（即ち、開口部２０２ａから露出する穿刺針の長さ）が調節されることになる。ここで、穿刺針の土台部１０５ａが穿刺深さ制限部材２０２の内壁部に衝突すると、その衝突に起因して穿刺針が波打つように振動することになり得るが（つまり、穿刺針の軌道がぶれることになり得るが）、本発明では、穿刺針に間接的または直接的に連結した弾性部がその波打つエネルギーを吸収できるようになっている。また、本発明では、穿刺部材に設けられた弾性部１５０が周囲部材（図示する態様では突起部２５０ａ）に擦って移動するので、その摩擦抵抗に起因して穿刺部材の移動速度が幾分減じられ得る。これは、穿刺針およびその土台部１０５ａの移動速度が減じられることを意味する。従って、穿刺針の土台部１０５ａと穿刺深さ制限部材２０２の内壁部との衝突エネルギーが減じられ（即ち、速度がより低下した状態で土台部１０５ａが内壁部２０２ｂに衝突するので）、衝突に起因した穿刺針の“波打ち現象”を低減させることができる。以上のような理由により、本発明に係る穿刺機構では、穿刺時においても穿刺軌道の直線性が向上することになる。特に、「穿刺針の土台部１０５ａと穿刺深さ制限部材２０２の内壁部との衝突」は針１０５が被採血者を穿刺した時点において生じ得るので、その時点での針の“ぶれ”が抑えられるということは、穿刺時の痛みを効果的に低減できることを意味している。図３３は、穿刺後の状態を示しており、穿刺後は、圧縮されたリターン・スプリング２０５ｂが元の形状に戻ろうとしてプランジャー１２０を後方へと動かすので、穿刺針１０５が素速く後退する。
【００５１】
以上、本発明の実施形態について説明してきたが、あくまでも典型例を例示したに過ぎない。従って、本発明はこれに限定されず、種々の態様が考えられることを当業者は容易に理解されよう。例えば以下の態様が考えられる。
【００５２】
上述した態様では、中空構造を有する弾性部を例示したものの、必ずしもそれに限定されるわけではなく、弾性部全体が弾性材料から成るものであってもよい。つまり、中空構造を有することなく弾性変形を可能とする材質から弾性部を形成してよい。例えば、ゴム材料またはエラストマー材料から形成した弾性部が考えられる。更に言えば、中空構造を有する弾性部の一部分（特に後方部分）が欠けて全体的な形状がウイング状となった弾性部であってもかまわない。
【００５３】
また、上述した態様では、主として穿刺方向に移動する穿刺針の直進性について説明してきたが、必ずしもそれに限定されるわけではない。本発明では、穿刺後に後方へと移動する穿刺針の直進性についても同様に向上することになる。つまり、穿刺後においても後方へと移動する弾性部が周囲部材を擦動するので、穿刺部材が受ける衝撃を弾性部により効果的に吸収でき、後方へと移動する穿刺部材がより安定化する。これは、後方へと移動する穿刺針の軌道についても同様に直線的なものとなることを意味している。特に、穿刺直後に後方へと移動しようとする穿刺針がより直線的な動きをすることになるので、『穿刺針によって穿刺箇所がえぐられる現象』が効果的に減じられ、被穿刺者が感じる痛みを更に低減できる。
【００５４】
更に、上述した態様では、穿刺部材に設けられた弾性部が周囲部材を擦動することについて説明してきたが、必ずしもそれに限定されるわけではない。本発明では、弾性部が、穿刺部材ではなく周囲部材の方に設けられていてもよい。つまり、穿刺部材が周囲部材に設けられた弾性部を擦動する態様であってもよい。この場合、本発明に係るランセット穿刺機構は、
発射により穿刺方向に移動することができる穿刺部材、
穿刺に際して穿刺部材が移動する空隙を規定する周囲部材、および
周囲部材に設けられる弾性部
を有して成り、
穿刺部材が発射されて穿刺方向へと移動する際、穿刺部材の移動に伴って穿刺部材が「周囲部材に設けられた弾性部」を擦動する。このような態様であっても、発射された穿刺部材が受ける衝撃を「周囲部材に設けられた弾性部」が吸収することができ、穿刺針の穿刺軌道が向上し得る。
【産業上の利用可能性】
【００５５】
本発明の穿刺機構を用いると、穿刺針の穿刺軌道が向上するので穿刺時の痛みを低減できる。従って、かかる穿刺機構を用いたランセット・デバイスは、糖尿病患者の採血に使用できることは当然のこと、その他の採血を必要とする各種用途においても好適に利用することができる。
【符号の説明】
【００５６】
１００    穿刺部材またはランセットアッセンブリ態様（Ｂ）のランセット
１０１    インジェクター使用態様（Ａ）のランセット
１０２    ランセットホルダー
１０２’  ランセットホルダー内壁面
１０２ａ  ランセットホルダー内壁面のテーパー部
１０２ｂ  ランセットホルダー壁部のランセットボディ係止部
１０３    ランセットボディに設けられたスプリング
１０４    ランセットボディ
１０５    穿刺針
１０５ａ  穿刺針の土台部
１０６    ランセットキャップ
１１０    ランセットアッセンブリ
１２０    プランジャー
１２０ａ  プランジャーに設けられたランセット保持部
１２０ｂ  インジェクターのガイド内に嵌り込むプランジャーの被ガイド部
１３１    ランセットボディ
１３２    ランセットキャップ
１５０    弾性部
１５０ａ  弾性部に設けられた空洞部分または中空部
１５０ｂ  弾性部の上面
１５０ｃ  弾性部の空洞部分を形造る内面に設けられた隆起部
２００    インジェクター
２０１    インジェクター・ハウジング
２０２    キャップ部材または穿刺深さ制限部材
２０２ａ  穿刺開口部
２０２ｂ  穿刺深さ制限部材の内壁
２０３    インジェクターの保持部材
２０５ａ  発射用スプリング
２０５ｂ  リターン・スプリング
２３０    トリガー板バネ部
２３０’  トリガーレバー部
２３０ａ  トリガー板バネ部の先端部
２３０ｂ  トリガー板バネ部の上面
２４２    トリガー部材のプレス部
２５０    周囲部材
２５０ａ  インジェクター・ハウジング内壁に設けられた突起部
２７０    プランジャーを穿刺方向に沿って案内するガイド
３００    穿刺機構
４００    穿刺デバイス
１００’  ランセットアッセンブリ
１０１’  ランセット
１０２’  保護カバー
１０４’  ランセットボディ
１０５’  穿刺針
１０６’  ランセットキャップ
１０８’  弱化部材
１１４’  ランセットボディの前方部分
１１６’  ランセットボディの後方部分
２００’  インジェクター
２０４’  プランジャー
２１４’  インジェクターの前端開口部
２６４’,２６６’  プランジャーの先端部
５１４’  トリガー部材
５２４’  プランジャーに設けられた突起
５２６’  トリガー部材の後方部分端部
５４２’  トリガー部材のプレス部分
【図１】
2011000322.tif 000003
【図２】
2011000322.tif 000004
【図３】
2011000322.tif 000005
【図４】
2011000322.tif 000006
【図５】
2011000322.tif 000007
【図６】
2011000322.tif 000008
【図７】
2011000322.tif 000009
【図８】
2011000322.tif 000010
【図９】
2011000322.tif 000011
【図１０】
2011000322.tif 000012
【図１１】
2011000322.tif 000013
【図１２】
2011000322.tif 000014
【図１３】
2011000322.tif 000015
【図１４】
2011000322.tif 000016
【図１５】
2011000322.tif 000017
【図１６】
2011000322.tif 000018
【図１７】
2011000322.tif 000019
【図１８】
2011000322.tif 000020
【図１９】
2011000322.tif 000021
【図２０】
2011000322.tif 000022
【図２１】
2011000322.tif 000023
【図２２】
2011000322.tif 000024
【図２３】
2011000322.tif 000025
【図２４】
2011000322.tif 000026
【図２５】
2011000322.tif 000027
【図２６】
2011000322.tif 000028
【図２７】
2011000322.tif 000029
【図２８】
2011000322.tif 000030
【図２９】
2011000322.tif 000031
【図３０】
2011000322.tif 000032
【図３１】
2011000322.tif 000033
【図３２】
2011000322.tif 000034
【図３３】
2011000322.tif 000035
【図３４】
2011000322.tif 000036
【図３５】
2011000322.tif 000037
【図３６】
2011000322.tif 000038
【図３７】
2011000322.tif 000039
【図３８】
2011000322.tif 000040
【図３９】
2011000322.tif 000041
【図４０】
2011000322.tif 000042
【図４１】
2011000322.tif 000043